(57)【要約】【課題】マルチレートトランスポンダを使用する光中継伝送システムにおいて、監視ネットワークを利用せずに設定を行うことで簡易に安定性の高いネットワークを提供する。【解決手段】マルチレートトランスポンダの伝送速度設定を行う際に主信号に速度変更用のデータパターンを送出し、その設定情報のやりとりを行い、簡易に光中継伝送システムの対向装置の伝送速度設定を実現する。【選択図】図２
2010187245.tif 000002
【特許請求の範囲】
【請求項１】
第1端末と、第2端末と、前記第1端末と前記第2端末との間に設置される第１装置、第2装置、及び第3装置と、光伝送路とを有する光伝送システムであって、
前記第１装置は、
第1データパターンを生成する第1信号速度制御部と、
前記第1データパターンを前記光伝送路に送信する第1送信部と、
前記第1端末からの光信号、及び前記第1データパターンへの前記第2装置からの応答信号を受信する第1受信部とを備えて、前記第1信号速度制御部は、前記応答信号に基づいて、信号速度変更のための第2データパターンを生成し、前記第1送信部は、さらに前記第2データパターンを前記光伝送路に送信し、
前記第２装置は、
前記第１装置が送信する前記第1データパターンを受信する第２受信部と、
前記第1データパターンに基づいて前記応答信号を送信する第２送信部とを有し、
前記第３装置は、
前記第1データパターン及び前記第２データパターンを受信する第3受信部と、
前記第1データパターン及び前記第２データパターンを送信する第３送信部とを有することを特徴とする光伝送システム。
【請求項２】
前記第1信号速度制御部は、前記第1端末からの光信号についての通信を止めて、前記第1データパターンを生成することを特徴とする請求項１に記載の光伝送システム。
【請求項３】
前記第1信号速度制御部に伝送速度制御指令を送信する伝送装置制御部をさらに有し、前記第1信号速度制御部は、前記伝送速度制御指令を受信するときに、前記第1データパターンを生成することを特徴とする請求項１に記載の光伝送システム。
【請求項４】
前記第2装置は、第2信号速度制御部をさらに有し、前記第3装置は、第3信号速度制御部をさらに有し、前記第１信号速度制御部、前記第２信号速度制御部及び前記第３信号速度制御部は、各々、前記第2データパターンに基づいて信号速度を制御することを特徴とする請求項１に記載の光伝送システム。
【請求項５】
前記第1装置は前記第1端末と通信する第1光端局装置であり、前記第2装置は前記第2端末と通信する第2光端局装置であり、前記第3装置は光中継装置であることを特徴とする請求項１に記載の光伝送システム。
【請求項６】
前記第1装置は第1光中継装置であり、前記第2装置は前記第1端末と通信する第1光端局装置であり、前記第3装置は第2光中継装置であることを特徴とする請求項１に記載の光伝送システム。
【請求項７】
前記第2端末と通信する第2端局装置をさらに有することを特徴とする請求項６に記載の光伝送システム。
【請求項８】
第1端末と、第2端末と、光中継装置と、他の光端局装置とに光伝送路を介して接続される光端局装置であって、
第1データパターンを生成する第1信号速度制御部と、
前記第1データパターンを前記光中継装置を介して前記他の光端局装置に送信する第1送信部と、
前記第1端末からの光信号、及び前記他の光端局装置からの前記第1データパターンへの応答信号を受信する第1受信部とを有し、
前記第1信号速度制御部は、前記応答信号に基づいて、信号速度変更のための第2データパターンを生成し、前記第1送信部は、さらに前記第2データパターンを前記光中継装置を介して前記他の光端局装置に送信することを特徴とする光端局装置。
【請求項９】
前記第1信号速度制御部は、前記第2データパターンに基づいて信号速度を制御することを特徴とする請求項８に記載の光端局装置。
【請求項１０】
前記第1端末からの光信号を処理する送信信号処理部をさらに有し、前記送信信号処理部は、前記第1信号速度制御部が前記第2データパターンに基づいて信号速度を制御した後に前記第1端末からの光信号を送信することを特徴とする請求項８に記載の光端局装置。
【請求項１１】
第1端末と、第2端末と、第1光端局装置とに光伝送路を介して接続される光中継装置であって、
第1データパターンを生成する第1信号速度制御部と、
前記第1データパターンを前記光伝送路に送信する第1送信部と、
前記第1光端局装置から、前記第1データパターンへの応答信号を受信する第1受信部とを有し、
前記第1信号速度制御部は、前記応答信号に基づいて、信号速度変更のための第2データパターンを生成し、前記第1送信部は、さらに前記第2データパターンを前記光伝送路に送信することを特徴とする光端局装置。
【請求項１２】
前記第1信号速度制御部は、前記第2データパターンに基づいて信号速度を制御することを特徴とする請求項１１に記載の光端局装置。
【発明の詳細な説明】
【技術分野】
【０００１】
本発明は、光伝送において異なる複数の信号速度に対応する光信号変換部の信号速度設定方法に係わり、１箇所の光信号変換部の光信号速度を設定することでシステム全体の信号速度設定を行う方式に関する。
【背景技術】
【０００２】
光伝送システムの光変換部としては様々なインタフェースに対応するマルチレートトランスポンダが実用化済みである。そのマルチレートトランスポンダを使用する際は、個々の波長変換部に使用する伝送インタフェースに合わせた速度設定を行うか、速度未設定のまま可変周波数フィルタ等を用いて入力信号の伝送速度に合わせた伝送を行う装置が実用化されている。
【０００３】
伝送インタフェースに合わせて個々に伝送速度を設定するトランスポンダでは、トランスポンダを設置してある伝送装置にて直に設定を行うか、または遠隔の伝送装置に対して監視制御ネットワークを事前に構築し、この監視制御ネットワークを通して個々の装置のトランスポンダに伝送速度設定を行う必要がある。
【０００４】
可変周波数フィルタを用いて入力信号の信号速度に合わせた伝送を行うトランスポンダでは、インタフェースの変更により追従速度を変更することは可能となるが、入力信号の周波数ずれを検出するといった監視を行うためにはやはり監視制御ネットワークを経由して伝送速度の登録手続きを行うことが必要となる。
【０００５】
光伝送システムにおける監視制御ネットワークとして主信号と異なる光波長を用いて遠隔の監視制御を行う方法が、例えば特許文献１などで提案されている。
【先行技術文献】
【特許文献】
【０００６】
【特許文献１】特開平５−２９２０３８号
【発明の概要】
【発明が解決しようとする課題】
【０００７】
特許文献１に記載の方法では、監視制御を行う別のインタフェースが必要となることからシステムコストへの影響が避けられない。
【０００８】
光信号変換部への伝送速度設定を行う際には、簡易に信号速度の変更を行うことができ、また各装置への信号速度設定実施することにより信号周波数変動の監視を実施することができることが課題である。
【０００９】
光伝送システムのマルチレートトランスポンダの速度設定の際には、対向するトランスポンダにおいて伝送速度を設定するための特別なデータパターンを送受信することにより速度設定を行うことが課題である。
【課題を解決するための手段】
【００１０】
本発明による光伝送システムは一例として、第1端末と、第2端末と、前記第1端末と前記第2端末との間に設置される第１装置、第2装置、及び第3装置と、光伝送路とを有する光伝送システムであって、前記第１装置は、第1データパターンを生成する第1信号速度制御部と、前記第1データパターンを前記光伝送路に送信する第1送信部と、前記第1端末からの光信号、及び前記第1データパターンへの前記第2装置からの応答信号を受信する第1受信部とを備えて、前記第1信号速度制御部は、前記応答信号に基づいて、信号速度変更のための第2データパターンを生成し、前記第1送信部は、さらに前記第2データパターンを前記光伝送路に送信し、前記第２装置は、前記第１装置が送信する前記第1データパターンを受信する第２受信部と、前記第1データパターンに基づいて前記応答信号を送信する第２送信部とを有し、前記第３装置は、前記第1データパターン及び前記第２データパターンを受信する第3受信部と、前記第1データパターン及び前記第２データパターンを送信する第３送信部とを有する。
【００１１】
本発明による光中継伝送方法は一例として、クライアント装置からの光信号を受信して信号処理を行った後に伝送路側に信号を送信する、または伝送路側から光信号を受信して信号処理を行った後にクライアント装置へ信号を送信する光端局装置と、伝送路側からの信号を受信して信号処理を行った後に受信した側と別の伝送路側に信号を送信する光中継装置を経由して、前記と同機能の別の光端局装置を経由して対向するクライアント装置に信号を伝送する光中継伝送方法であって、前記光端局装置と光中継装置の信号変換部において、信号速度を可変する機能を具備し、かつその信号速度を一の光端局装置または光中継装置から設定し、遠隔にある光端局装置や光中継装置の設定を一括して行う。
【発明の効果】
【００１２】
本発明によれば、対向する光端局装置や光中継装置へ制御用信号を送信し、光端局装置や光中継装置は受信した制御信号から伝送速度の設定をすることで簡易に信号速度の変更を行うことができる。また各装置への信号速度設定実施することにより信号周波数変動の監視を実施することができる。また、対向するマルチレートトランスポンダにおいて主信号にトランスポンダの伝送速度を設定する特殊なデータパターンを伝送することによって、使用するインタフェースに合わせた伝送速度設定を行うことができる。対向トランスポンダに設定を行うため制御用ネットワークや別波長を用いた制御を行うことなく簡易かつ経済的に設定を行うことが可能となる。
【図面の簡単な説明】
【００１３】
【図１】光伝送システム例を示す図である。
【図２】光端局装置の一構成例を示す図である。
【図３】光中継装置の一構成例を示す図である。
【図４】光端局装置からの伝送速度変更シーケンスのフロー図の一例である。
【図５】光中継装置からの伝送速度変更シーケンスのフロー図の一例である。
【発明を実施するための形態】
【００１４】
以下本発明の一実施例を具体的に説明する。図１は本発明が適用される光中継伝送システムの一構成例を示す図である。図１に示すシステムは、距離の離れた２地点に設置されているクライアント装置（端末）Ａ１とクライアント装置（端末）Ｆ６を接続するものであり、クライアント装置Ａに対して端局装置Ｂ２はクライアント装置Ｆ６に対して光端局装置Ｅ５を通して、光中継装置Ｃ３、光中継装置Ｄ４などの複数の中継を経てデータ伝送を行うことができる。光中継装置はシステム要求により、使用しない場合（０台）または１台以上の任意の台数により構成が可能である。なお、各々の装置は図示しない光伝送路を介して接続される。
【００１５】
図２は光端局装置の詳細ブロックを示す図である。光端局装置はクライアント装置からの光信号を受信して伝送路側へ光信号を送信し、伝送路側から光信号を受信してクライアント装置へ光信号を送信する光信号変換部２１と光信号変換部の制御を行う伝送装置制御部２２からなる。光信号変換部はクライアント装置からの光信号を受信する光信号受信部２０１と伝送路側に送信する信号を生成する送信信号処理部２０２と対向装置に制御信号を送る機能を持つ制御信号挿入部２０３と光信号送信部２０４と、伝送路側からの光信号を受信する光信号受信部２０５と受信した信号をクライアント装置に受け渡す受信信号処理部２０６と受信信号から制御情報を取り出す機能を持つ制御信号検出部２０７とクライアント装置に光信号を送出する光信号送信部２０８と、制御信号検出部または伝送装置制御部からの制御情報により伝送路側に信号速度の情報を送ると共に送信信号処理部と受信信号処理部に伝送速度設定を行う信号速度制御部２０９からなる。
【００１６】
最初の伝送速度はクライアント装置に合わせて光端局装置の伝送装置制御部２２から設定を実施する。設定の際、伝送装置制御部２２は信号速度制御部２０９へ伝送速度制御指令を送信する。設定により信号速度制御部２０９は制御信号挿入部２０３を制御して送信信号処理部からのデータ送信を止め、さらに信号速度制御部で生成し、速度設定用データパターンを送出する。速度設定用データパターンは通常の信号伝送では使用しないデータパターンを用いる。例えばイーサネット（登録商標）では８Ｂ１０Ｂ符号を用いているが、８Ｂ１０Ｂ符号則では生成されないデータパターンがあり、これを速度設定用データパターンとすることで通常のデータ信号との判別が可能となる。光信号送信部２０４は、この速度設定用のデータパターンを伝送路側に送信する。光信号受信部２０５で受信したデータパターンを制御信号検出部２０７において監視し、伝送路側から速度設定に対するＡＣＫ信号を検出した場合は信号速度制御部に伝達し、制御信号挿入部２０３が挿入している速度設定用データパターンを速度変更実施用データパターンに変えて送信した後、送信信号処理部２０２と受信信号処理部２０６に速度設定を行い送信信号処理部からのデータを通過させる。速度変更実施用データパターンも上記の速度設定用データパターンと同様に通常の信号伝送では使用しないデータパターンを用いる。
【００１７】
また、対向する光端局装置から速度設定が実施される場合は、速度設定を行う特殊データパターンを制御信号検出部２０７で検出し、信号速度制御部２０９にて対向装置へのＡＣＫ信号を生成して制御信号挿入部２０３経由で対向している光端局装置に送信し、速度変更実施用データパターンを制御信号検出部２０７で検出後、送信信号処理部２０２と受信信号処理部２０６に速度設定を実施する。
【００１８】
図３は光中継装置の詳細ブロックを示す図である。光中継装置は２つの伝送路インタフェースを持ちそれぞれのインターフェースが接続する伝送路を伝送路１および伝送路２と呼ぶこととする。光中継装置３は伝送路１側からの光信号を受信して伝送路２側へ光信号を送信する機能と伝送路２側から光信号を受信して伝送路１側へ光信号を送信する機能を持つ光信号変換部３１と光信号変換部の制御を行う伝送装置制御部３２からなる。光信号変換部は伝送路１側からの光信号を受信する光信号受信部３０１と伝送路２側に送信する信号を生成する信号処理部３０２と受信信号から制御情報を取り出す機能を持つ制御信号検出部３０３と伝送路２側の対向装置に制御信号を送る機能を持つ制御信号挿入部３０４と光信号送信部３０５と、伝送路２側からの光信号を受信する光信号受信部３１１と伝送路１側に送信する信号を生成する信号処理部３１２と受信信号から制御情報を取り出す機能を持つ制御信号検出部３１３と伝送路２側の対向装置に制御信号を送る機能を持つ制御信号挿入部３１４と光信号送信部３１５と、制御信号検出部または伝送装置制御部３２からの制御情報により伝送路側に信号速度の情報を送ると共に送信信号処理部と受信信号処理部に伝送速度設定を行う信号速度制御部３２０からなる。
【００１９】
伝送速度の設定は前述した光端局装置と同様に伝送装置制御部３２から設定することが可能である。設定により信号速度制御部３２０は制御信号挿入部３０４、３１４を制御して信号処理部からのデータを止め、さらに信号速度制御部で生成した速度設定用データパターンを送出する。光信号送信部３０５、３１５は、この速度設定用のデータパターンを伝送路１側および伝送路２側に送信する。光信号受信部３０１、３１１で受信したデータパターンを制御信号検出部３０３、３１３において監視し、伝送路１側および伝送路２側の両方から速度設定に対するＡＣＫ信号を検出した場合は信号速度制御部に伝達し、信号速度制御部は信号処理部３０２と３１２に速度設定を行い、制御信号挿入部３０４，３１４が挿入している速度設定用データパターンを停止し、信号処理部からのデータを通過させることで伝送速度の設定を実施する。
【００２０】
また、対向する光端局装置または光中継装置からの速度設定実施例として、伝送路１側の装置から信号速度を変更する特殊データパターン（速度設定用データパターン及び速度変更実施用データパターン）を受信した場合について説明する。伝送路１側からの速度設定を行う特殊データパターンは光信号受信部３０１から信号処理部３０２制御信号挿入部３０４を経由して光り信号送信部３０５から伝送路２側に送出する。また、制御信号検出部３０３で特殊データパターンを検出し伝送路１側には制御信号挿入部３１４において信号速度変更を連絡するＡＣＫ信号送出までの間、データ転送を停止ししアイドル信号のみを送出させる。伝送路２側から速度変更に関するＡＣＫ信号を光信号受信部３１１経由で制御信号検出部３１３にて受信後、信号速度制御部３２０にて新たにＡＣＫ信号を生成して制御信号挿入部３１４から経由で伝送路１側の装置に送信する。伝送路１側から速度変更実施用データパターンを受信した後、信号処理部３０２，３１２に新たな速度設定を行い送信信号処理部からのデータを通過させる。
【００２１】
図４は本実施例について光端局装置から伝送速度変更設定を実施する場合のシーケンス図である。光端局装置Ｂ２における伝送速度変更設定４０１により伝送速度変更用データパターン４０２を伝送路へと送出する。この伝送速度変更用データパターンを受けた光中継装置Ｃ３及びＤ４は変更用データパターンは通過させ、受信した側のデータ送信を停止してアイドル信号を送出する。光端局装置Ｅ５は伝送速度変更用データパターンを受信後、信号速度の変更を了承する応答信号（ＡＣＫ信号４０３）を送出する。光中継装置Ｄ４はＡＣＫ信号を受信し信号速度の変更を了承するＡＣＫ信号４０４を生成して光中継装置Ｃ３側へ送出する。光中継装置Ｃ３も同様に速度変更了承を示すＡＣＫ信号を光端局装置Ｂに送出する。光端局装置ＢはＡＣＫ信号受信後、速度変更実施用データパターン４０６を送出すると共に自局の速度変更を実施する（４０７）。光中継装置Ｃは速度変更実施用データパターン４０６を検出すると共に速度変更を実施する（４０８）。以下同様に光中継装置Ｄ、光端局装置Ｅにおいても速度変更実施用データパターンを検出し速度変更を実施する。このように光端局装置１箇所からの制御で速度設定を行うことができので、ネットワーク上の各装置に速度の設定を施すなどの複雑な作業が不要となる。
【００２２】
図５は本実施例について光中継装置から伝送速度変更設定を実施する場合のシーケンス図である。光中継装置Ｃ３における伝送速度変更設定５０１により伝送速度変更用データパターン５０２と５０３を２方向の伝送路へと送出する。この伝送速度変更用データパターンを受けた光中継装置Ｄ４は変更用データパターンは通過させ、受信した側のデータ送信を停止してアイドル信号を送出する。光端局装置Ｅ５は伝送速度変更用データパターンを受信後、信号速度の変更を了承するＡＣＫ信号５０４を送出する。光中継装置Ｄ４はＡＣＫ信号を受信し信号速度の変更を了承するＡＣＫ信号５０５を生成して光中継装置Ｃ３側へ送出する。光端局装置Ｂ２も同様に伝送速度変更用データパターン５０３を受信後、信号速度の変更を了承するＡＣＫ信号５０６を送出する。光中継装置ＣはＡＣＫ信号５０５、５０６を受信後、速度変更実施用データパターン５０７、５０８を送出すると共に自局の速度変更を実施する５０９。光中継装置Ｄは速度変更実施用データパターン５０７を検出すると共に速度変更を実施する５１０。光端局装置Ｂ及びＥにおいても速度変更実施用データパターンを検出し速度変更を実施する。なお、速度設定用データパターン及び速度変更実施用データパターンは、図４の場合と同様のパターンを用いることが可能である。光中継装置からも速度変更設定が可能なことからネットワーク上のどの地点からでも設定が可能であり、ネットワークの工事やメインテナンスの効率を向上させることができる。
【００２３】
以上、伝送速度を変更する際に主信号に伝送速度変更用のデータパターンを流すことにより、遠隔にある装置に対して監視制御を行うネットワークを必要とせずに設定が可能となる。伝送の基本パラメータである速度の変更には、ネットワーク同期の維持やエラーフリーによる制御はできない。しかし、上記の通りに主信号にデータパターンを送出することは、このような技術的制約もないため、簡易な構成で遠隔設定を実施する方式を提供することができる。
【００２４】
光伝送装置として様々なインタフェースに対応するマルチレートトランスポンダが存在する。そのマルチレートトランスポンダについて、個々のインタフェースに合わせた速度設定を行う際に、監視制御ネットワークを別に構築することなく遠隔装置に対して伝送速度設定を行うことが可能となる。
【符号の説明】
【００２５】
１、６…クライアント装置
２、５…光端局装置
３、４…光中継装置
２１、３１…光信号変換部
２２、３２…伝送装置制御部
２０２…送信信号処理部
２０６…受信信号処理部
２０３、３０４、３１４…制御信号挿入部
２０７、３０３、３１３…制御信号検出部
３０２、３１２…信号処理部
２０９、３２０…信号速度制御部
【図１】
2010187245.tif 000003
【図２】
2010187245.tif 000004
【図３】
2010187245.tif 000005
【図４】
2010187245.tif 000006
【図５】
2010187245.tif 000007